(57)【要約】  端末、端末機器、および、端末機器を設定する方法および装置が開示される。この方法は、サービスプロバイダ機器によって送信された、端末機器についての設定情報を含むメッセージを受信するステップと、ワイヤレスフィデリティ（ＷｉＦｉ）技術を使用して端末機器への無線接続をセットアップするステップと、無線接続を通して端末機器についての設定情報を端末機器に送信するステップと、を含む。本発明は次の利点をもたらす。携帯電話は端末機器についての設定情報を含むメッセージを受信し、そのメッセージに従って端末機器に設定情報を送信する。従って、端末機器を設定するためのプロビジョニングに伴う危険性および複雑さの問題は解決され、端末機器についての設定情報は安全かつ簡単に供給される。
2012511268.tif 000002
【特許請求の範囲】
【請求項１】
サービスプロバイダ機器によって送信された、端末機器についての設定情報を含むメッセージを受信するステップと、
ワイヤレスフィデリティ（ＷｉＦｉ）技術を使用して前記端末機器への無線接続をセットアップするステップと、
前記無線接続を通して前記端末機器についての設定情報を前記端末機器に送信するステップと、
を有する端末機器を設定する方法。
【請求項２】
前記サービスプロバイダ機器によって送信されるメッセージはマルチメディアメッセージサービス（ＭＭＳ）またはショートメッセージサービス（ＳＭＳ）である請求項１に記載の方法。
【請求項３】
前記ＭＭＳメッセージまたはＳＭＳメッセージが前記端末機器についての設定情報を含むことを識別するために、前記ＭＭＳメッセージまたはＳＭＳメッセージ内のフレームヘッダのフラグビットが解析され、または、前記ＭＭＳメッセージまたはＳＭＳメッセージ内のテキスト情報フィールドのプレフィックス識別子（ＩＤ）が解析される請求項２に記載の方法。
【請求項４】
前記端末機器についての設定情報は、前記端末機器の機器識別子（ＩＤ）を含み、かつ、前記端末機器の設定パラメータまたは自動設定サーバ（ＡＣＳ）のユニフォームリソースロケータ（ＵＲＬ）を含み、
前記端末機器が前記ＡＣＳのＵＲＬを取得したならば、前記ＡＣＳのＵＲＬに従って顧客宅内装置広域ネットワーク管理プロトコル（ＣＷＭＰ）を通じて前記ＡＣＳから前記設定パラメータが取得される請求項１に記載の方法。
【請求項５】
前記端末機器についての設定情報を送信する方法はＷｉＦｉセキュリティ設定法を含む請求項１に記載の方法。
【請求項６】
前記設定情報を送信するＷｉＦｉセキュリティ設定法はＷｉＦｉ保護セットアップ（ＷＰＳ）レジストラを利用する請求項５に記載の方法。
【請求項７】
サービスプロバイダ機器によって送信された、端末機器についての設定情報を含むメッセージを受信するように構成されたメッセージ受信ユニットと、
ワイヤレスフィデリティ（ＷｉＦｉ）技術を使用して前記端末機器への無線接続をセットアップするように構成された無線接続ユニットと、
前記無線接続を通して前記端末機器についての設定情報を前記端末機器に送信するように構成された設定情報送信ユニットと、
を備える端末機器を設定する装置。
【請求項８】
前記メッセージ受信ユニットは、
前記サービスプロバイダ機器からマルチメディアメッセージサービス（ＭＭＳ）メッセージを受信するように構成されたＭＭＳモジュール、または、
前記サービスプロバイダ機器からショートメッセージサービス（ＳＭＳ）メッセージを受信するように構成されたＳＭＳモジュールを備える請求項７に記載の装置。
【請求項９】
前記メッセージ受信ユニットは、
前記ＭＭＳメッセージまたはＳＭＳメッセージが前記端末機器についての設定情報を含むことを識別するために、前記ＭＭＳメッセージまたはＳＭＳメッセージ内のフレームヘッダのフラグビット、または、前記ＭＭＳメッセージまたはＳＭＳメッセージ内のテキスト情報フィールドのプレフィックス識別子（ＩＤ）を解析するように構成されたメッセージ解析モジュールと、
前記メッセージ解析モジュールによって取得された端末機器についての設定情報を抽出するように構成されたメッセージ抽出モジュールと、
を備える請求項８に記載の装置。
【請求項１０】
前記メッセージ解析モジュールは、さらに、前記端末機器についての設定情報を解析して前記端末機器の機器ＩＤ、および、前記端末機器の設定パラメータまたは自動設定サーバ（ＡＣＳ）のユニフォームリソースロケータ（ＵＲＬ）を取得するように構成された請求項９に記載の装置。
【請求項１１】
前記設定情報送信ユニットは、ＷｉＦｉセキュリティ設定法を使用して前記端末機器についての設定情報を前記端末機器に送信するように構成されたＷｉＦｉセキュリティ設定モジュールを備える請求項７に記載の装置。
【請求項１２】
前記ＷｉＦｉセキュリティ設定モジュールは、ＷｉＦｉセキュリティ設定レジストラである請求項１１に記載の装置。
【請求項１３】
請求項７から１２のいずれか一項に記載の端末機器を設定する装置を備える端末。
【請求項１４】
ワイヤレスフィデリティ（ＷｉＦｉ）技術を使用してセットアップされた無線接続を使用して端末機器についての設定情報を取得するように構成された無線接続取得ユニットと、
前記端末機器についての設定情報を使用して前記端末機器を設定するように構成された端末機器設定ユニットと、
を備える端末機器。
【請求項１５】
前記無線接続取得ユニットは、
前記端末機器についての設定情報における前記端末機器の設定パラメータまたは自動設定サーバ（ＡＣＳ）のユニフォームリソースロケータ（ＵＲＬ）を取得するように構成された第１取得サブユニットと、
前記端末機器が前記ＡＣＳのＵＲＬを取得したならば、前記ＡＣＳのＵＲＬに従って顧客宅内装置広域ネットワーク管理プロトコル（ＣＷＭＰ）を通じて前記ＡＣＳから前記設定パラメータを取得するように構成された第２取得サブユニットと、
を備える請求項１４に記載の端末機器。
【発明の詳細な説明】
【技術分野】
【０００１】
本発明は、パラメータ設定技術、特に、端末、端末機器、および、端末機器を設定する方法および装置に関する。
本願は、発明の名称を“TERMINAL, TERMINAL DEVICE, AND METHOD ANDAPPARATUS FOR CONFIGURING TERMINAL DEVICE”とし、２００８年１２月５日に中国特許庁に出願された中国特許出願第200810177120.3号の優先権を主張し、その全体を引用してここに組み込む。
【背景技術】
【０００２】
プロビジョニングは、端末機器がサービスを提供することを可能とするためにオペレーション端末機器を設定する処理である。例えば、ホームゲートウェイ（ＨＧＷ）のために、アクセスアカウント、アクセスパスワード、サービスを提供するサーバのアドレス、サービス品質（ＱｏＳ）、ファイアウォール、経路のような関連するパラメータを設定することが必要である。インターネットプロトコルテレビ（ＩＰＴＶ）セットトップボックス（ＳＴＢ）のために、アプリケーションサーバのアドレス、アカウントおよびそのパスワード、暗号化方法、鍵を設定する必要がある。ユーザがそのようなデータを設定することはいくぶん困難であり、サービスプロバイダがそのようなデータを手動で設定することは多くのコストを要する。従って、異なる組織が自動プロビジョニング法を開発した。例えば、デジタル加入者線（ＤＳＬ）フォーラムは、ホームネットワーク機器のための自動設定を実現するために、顧客宅内装置（Customer Premises Equipment（ＣＰＥ））広域ネットワーク（Wide Area Network（ＷＡＮ））管理プロトコルを開発し、これはＣＷＭＰと短縮される。ユーザ装置（ＵＥ）は、設定を取得するために、公衆ネットワーク内に配置された自動設定サーバ（Auto-Configuration Server（ＡＣＳ））から設定パラメータをダウンロードし、ＵＥは動的ホスト設定プロトコル（ＤＨＣＰ）、工場設定、手動入力を通してＡＣＳのユニフォームリソースロケータ（ＵＲＬ）を取得することができる。
【発明の概要】
【発明が解決しようとする課題】
【０００３】
本発明を実現する過程において、発明者は先行技術における少なくとも次の問題を発見した。ＡＣＳのＵＲＬがＤＨＣＰを通して自動的に取得されるとき、サービスプロバイダまたはユーザのいずれも何のデータもＵＥに入力する必要がないが、ＡＣＳのＵＲＬを取得する処理は、ＤＨＣＰプロトコルそれ自身のために安全でない。従って、サービスプロバイダは、ＵＥがＤＨＣＰを通して自動的にＡＣＳのＵＲＬを取得することを期待していない。ＵＥが工場設定を通してＵＲＬを取得するならば、ＵＥはカスタマイズされる必要があり、小売のために適していない。ユーザがＡＣＳのＵＲＬを手動で入力するならば、入力データの量は少ないが、その入力はユーザにとって技術的に難しい。サービスプロバイダがＵＲＬを入力するならば、サービスプロバイダは追加コストに耐える必要があり、効率が低い。従って、ＨＧＷおよびＩＰＴＶ ＳＴＢのような端末機器を設定するためのプロビジョニングは安全でなく、複雑である。
【課題を解決するための手段】
【０００４】
本発明の実施形態は端末機器を設定するプロビジョニングの危険性および複雑さを克服することを目的とする。
【０００５】
本発明の一実施形態において端末機器を設定する方法が提供される。この方法は、サービスプロバイダ機器によって送信された、端末機器についての設定情報を含むメッセージを受信するステップと、ワイヤレスフィデリティ（ＷｉＦｉ）技術を使用して前記端末機器への無線接続をセットアップするステップと、前記無線接続を通して前記端末機器についての設定情報を前記端末機器に送信するステップと、を含む。
【０００６】
本発明の一実施形態において端末機器を設定する装置が提供される。この装置は、サービスプロバイダ機器によって送信された、端末機器についての設定情報を含むメッセージを受信するように構成されたメッセージ受信ユニットと、ＷｉＦｉ技術を使用して前記端末機器への無線接続をセットアップするように構成された無線接続ユニットと、前記無線接続を通して前記端末機器についての設定情報を前記端末機器に送信するように構成された設定情報送信ユニットと、を含む。
【０００７】
本発明の一実施形態において端末が提供される。この端末は上記の端末機器を設定する装置を含む。
本発明の一実施形態において端末機器が提供される。この端末機器は、ＷｉＦｉ技術を使用してセットアップされた無線接続を使用して端末機器についての設定情報を取得するように構成された無線接続取得ユニットと、前記端末機器についての設定情報を使用して前記端末機器を設定するように構成された端末機器設定ユニットと、を含む。
【０００８】
上記の技術的解決策は少なくとも次の利点をもたらす。携帯電話は端末機器についての設定情報を含むメッセージを受信し、そのメッセージに従って端末機器に設定情報を送信するので、端末機器を設定するためのプロビジョニングに伴う危険性および複雑さの問題は解決され、端末機器についての設定情報は安全かつ簡単に供給される。
【０００９】
以下に挙げた図面は、本発明の理解を助け、本発明を限定することなく本願の一部を構成することを意図する。
【図面の簡単な説明】
【００１０】
【図１Ａ】本発明の一実施形態による、端末機器を設定する装置の構成図である。
【図１Ｂ】本発明の一実施形態による、端末機器の構成図である。
【図２】本発明の一実施形態による、端末機器を設定する方法のフローチャートである。
【図３】本発明の一実施形態による、携帯電話を通してＨＧＷを設定する処理を表わす。
【図４】図３に表わされているプロビジョニングサービス（Provisioning Service（ＰＳ））についてのメッセージを送信する処理を表わす。
【図５】図３に表わされているＰＳについてのメッセージを送信するもう１つの処理を表わす。
【図６】図３に表わされている携帯電話がＷｉＦｉ保護セットアップ（WiFi Protected Setup（ＷＰＳ））を使用してどのようにＨＧＷに設定情報を送信するかを表わす。
【図７】本発明の一実施形態により、ショートメッセージサービス（ＳＭＳ）を通して携帯電話にどのようにＨＧＷのＡＣＳのＵＲＬを送信するかを表わす。
【図８】本発明の一実施形態により、携帯電話がどのようにＳＭＳメッセージを処理し、どのようにアクセスポイント（ＡＰ）を設定するかを表わす。
【発明を実施するための形態】
【００１１】
以下は、本発明の技術的解決策の目的および利点をより明確にするため、添付図面を参照して本発明の実施形態を詳細に説明する。本発明の例示的な実施形態およびその記載は、実際上の説明であり、本発明についての限定として解釈してはならない。
【００１２】
＜実施形態１＞
図１Ａは、本発明の一実施形態における端末機器を設定する装置の構成図である。この装置は、サービスプロバイダ機器によって送信された、端末機器についての設定情報を含むメッセージを受信するように構成されたメッセージ受信ユニットと、ＷｉＦｉ技術を使用して端末機器への無線接続をセットアップするように構成された無線接続ユニットと、無線接続を通して端末機器についての設定情報を端末機器に送信するように構成された設定情報送信ユニットと、を含む。
【００１３】
任意選択で、メッセージ受信ユニットは、サービスプロバイダ機器からマルチメディアメッセージサービス（ＭＭＳ）メッセージを受信するように構成されたＭＭＳモジュール、または、サービスプロバイダ機器からＳＭＳメッセージを受信するように構成されたＳＭＳモジュールを含むことが可能である。メッセージ受信ユニットは、ＭＭＳメッセージまたはＳＭＳメッセージが端末機器についての設定情報を含むことを識別するために、ＭＭＳメッセージまたはＳＭＳメッセージ内のフレームヘッダのフラグビット、または、ＭＭＳメッセージまたはＳＭＳメッセージ内のテキスト情報フィールドのプレフィックス識別子（ＩＤ）を解析するように構成されたメッセージ解析モジュールと、メッセージ解析モジュールによって取得された端末機器についての設定情報を抽出するように構成されたメッセージ抽出モジュールと、を含むことが可能である。メッセージ解析モジュールは、さらに、端末機器についての設定情報を解析して端末機器の機器ＩＤ、および、端末機器の設定パラメータまたはＡＣＳのＵＲＬを取得するように構成されることが可能である。設定情報送信ユニットは、ＷｉＦｉセキュリティ設定法を使用して端末機器についての設定情報を端末機器に送信するように構成されたＷｉＦｉセキュリティ設定モジュールを含むことが可能である。ＷｉＦｉセキュリティ設定モジュールは、ＷｉＦｉセキュリティ設定レジストラとすることが可能である。この実施形態において端末が提供される。端末は、上述した、端末機器を設定する装置を含む。
【００１４】
図１Ｂは、本発明の一実施形態における端末機器の構成図である。端末機器は、ＷｉＦｉ技術を使用してセットアップされた無線接続を使用して端末機器についての設定情報を取得するように構成された無線接続取得ユニットと、端末機器についての設定情報を使用して端末機器を設定するように構成された端末機器設定ユニットと、を含む。
【００１５】
任意選択で、無線接続取得ユニットは、端末機器についての設定情報における、端末機器の設定パラメータ、または、ＡＣＳのＵＲＬを取得するように構成された第１取得サブユニットと、端末機器がＡＣＳのＵＲＬを取得したならば、ＡＣＳのＵＲＬに従ってＣＷＭＰプロトコルを通じてＡＣＳから設定パラメータを取得するように構成された第２取得サブユニットと、を含むことが可能である。
【００１６】
図２は、本発明の一実施形態における、端末機器を設定する方法のフローチャートである。この方法は次のステップを含む。
【００１７】
ステップ２０１：サービスプロバイダ機器によって送信された、端末機器についての設定情報を含むメッセージを受信する。
【００１８】
サービスプロバイダ機器によって送信されるメッセージは、ＭＭＳメッセージまたはＳＭＳメッセージでありうる。ＭＭＳメッセージまたはＳＭＳメッセージが端末機器についての設定情報を含むことを識別するために、ＭＭＳメッセージまたはＳＭＳメッセージ内のフレームヘッダのフラグビット、または、ＭＭＳメッセージまたはＳＭＳメッセージ内のテキスト情報フィールド内のプレフィックスＩＤが解析されることが可能である。端末機器についての設定情報は端末機器の機器ＩＤを含むことが可能であり、端末機器の設定パラメータまたはＡＣＳのＵＲＬをさらに含むことが可能である。
【００１９】
ステップ２０２：ＷｉＦｉ技術を使用して端末機器への無線接続をセットアップする。
【００２０】
ステップ２０３：無線接続を通して端末機器についての設定情報を端末機器に送信する。
【００２１】
端末機器についての設定情報を送信する方法は、ＷｉＦｉセキュリティ設定法を含むことが可能である。設定情報を送信するためのＷｉＦｉセキュリティ設定法は、ＷｉＦｉセキュリティ設定レジストラを利用することが可能である。
【００２２】
端末機器がＡＣＳのＵＲＬを取得したならば、ＡＣＳのＵＲＬに従ってＣＷＭＰプロトコルを通じてＡＣＳから設定パラメータを取得することが可能である。
【００２３】
この実施形態において、携帯電話は、端末機器についての設定情報を含むメッセージを受信し、そのメッセージに従って端末機器に設定情報を送信するので、端末機器を設定するためのプロビジョニングに伴う危険性および複雑さの問題は解決され、端末機器についての設定情報は安全かつ簡単に供給される。
【００２４】
＜実施形態２＞
ＷｉＦｉは、ホームネットワークにおける重要な接続技術となり、ますます多くのアプリケーション端末機器によってサポートされている。ＨＧＷのような大多数のホームアクセス機器はホーム無線ローカルエリアネットワーク（ＷＬＡＮ）を確立するためにＡＰを提供する。ホームネットワークにおける接続技術として、ＷｉＦｉは一般にサービスプロバイダから独立している。従って、ユーザは彼ら自身でＷｉＦｉネットワークを設定する必要がある。ユーザによって実行される安全なＷＬＡＮのセットアップおよび設定を容易にするために、ＷｉＦｉアライアンスは、ＷｉＦｉ保護セットアップ（ＷＰＳ）仕様を開発し、ユーザはそれを通して最少かつ最も簡単な操作を実行して、安全なＷＬＡＮを確立し、ＷＬＡＮに追加される機器においてセキュリティパラメータを設定することができる。
【００２５】
ＨＧＷおよびいくつかのアプリケーション端末機器はＷｉＦｉをサポートし、ＷｉＦｉネットワークはユーザによって設定される。従って、ＨＧＷおよび他のＷｉＦｉが利用可能なアプリケーション端末機器においてＡＰのためのＷｉＦｉ設定を実行する一方で、ユーザがＨＧＷおよびアプリケーション端末機器のサービスデータを設定することが可能である。ＷＰＳ仕様は、非ＷｉＦｉネットワーク設定パラメータおよびアプリケーション設定パラメータがＷＰＳ法を使用して機器を設定する処理において設定情報に含まれることが可能であると規定する。携帯電話は一般大衆の間に普及しているアプリケーション端末機器であり、ますます多くの携帯電話がＷｉＦｉをサポートしている。携帯電話は豊富なユーザインタフェースを有し、ＷＰＳレジストラとしての役割を果たすために適している。従って、図１Ｂに表わされているユニット（たとえば、ＨＧＷおよびオペレーションアプリケーション端末機器）を含む端末機器を設定するために、図１Ａに表わされているユニットを含むＷｉＦｉ携帯電話を使用することが可能である。設定情報送信ユニットはその機能を実現するためにＷＰＳレジストラを含むことが可能である。
【００２６】
図３は、本発明の一実施形態における、携帯電話を通してＨＧＷを設定する処理を表わす。この処理は次のステップを含む。
【００２７】
ステップ３１：ユーザはサービスに加入する。
【００２８】
ユーザが、インターネットにアクセスし、または、ＩＰＴＶサービスのようなアプリケーションサービスを使用する必要があるとき、ユーザはまず（ＨＷＧおよびＩＰＴＶ ＳＴＢのような）端末機器を購入し、そして、サービスプロバイダのサービスに加入する必要がある。例えば、ユーザは、アクセスサービスのためのアクセスサービスプロバイダに申し込み、または、ＩＰＴＶサービスのためのＩＰＴＶサービスプロバイダに申し込む。
【００２９】
例えば、アクセスサービスを申し込むとき、ユーザはＨＧＷを購入し、アクセスサービスプロバイダのアクセスサービスに加入する。アクセスサービスプロバイダはユーザのＨＧＷの機器ＩＤおよびユーザの携帯電話番号を記録する。ＨＧＷの機器ＩＤはパッケージに印刷されており、パッケージを開けずに見ることができる。
【００３０】
アクセスサービスプロバイダは、加入を取り扱い、ユーザのＨＧＷのための設定情報を生成し、その設定情報をオペレーションシステムに設定する。加入が完了した後、ユーザは機器の完全なパッケージを家に持って行く。
【００３１】
他の加入処理も適用可能である。例えば、ユーザはアクセスサービスプロバイダにサービス加入の電話をし、ＨＧＷの機器ＩＤ、プロビジョニングのための携帯電話番号、可能な支払い銀行口座を報告する。
【００３２】
ステップ３２からステップ３３：携帯電話は設定情報を取得する。
【００３３】
加入の後、携帯電話網を通して、サービスプロバイダは加入時に登録された携帯電話番号に設定情報を送信する。加入が完了したとき設定情報が生成されるならば、加入が完了したとき携帯電話は設定情報を受信する。
【００３４】
アクセスサービスプロバイダは、ＭＭＳを通して、または、他の通信ノードにおいて携帯電話にＨＧＷの設定情報を送信し、他の通信ノードはここではＰＳとして知られている。ＰＳはＳＭＳおよびＭＭＳに匹敵する。
【００３５】
ＰＳはアプリケーションサービスプロバイダ（または携帯通信網の運営者）によって提供される。ＭＭＳサービスと同様に、アプリケーションサービスプロバイダはプロビジョニングサービスサーバ（ＰＳＳ）を提供し、アクセスサービスプロバイダはＨＧＷの設定情報および携帯電話番号をＰＳＳに送信する。ＰＳＳはユーザの携帯電話番号に従って携帯電話に設定情報を送信する。
【００３６】
そのようなサービスをサポートするために、ユーザの携帯電話はＭＭＳプロトコルのようなプロビジョニングプロトコルをサポートし、認証および暗号化送信をサポートする必要がある。プロビジョニングプロトコルはここでは詳細には説明しない。この技術分野においてＭＭＳプロトコルを理解している人はプロビジョニングプロトコルを推定することができる。
【００３７】
ステップ３４：携帯電話を使用し、ＷＰＳ設定法を使用して携帯電話を通してＨＧＷのような端末機器を設定する。
【００３８】
図４は、図３に表わされているＰＳについてのメッセージを送信する処理を表わす。図４は、アクセスサービスプロバイダがユーザの携帯電話にＨＧＷ設定情報をどのように送信するかを表わす。この処理は次のステップを含む。
【００３９】
ステップ４０１：アクセスサービスプロバイダのオペレーションシステムは、ユーザのＨＧＷの設定情報を生成し、ＨＧＷの機器ＩＤ、設定パラメータ、ユーザの携帯電話番号を自動的にＰＳ要求システムに送信する。
【００４０】
ステップ４０２：ＰＳ要求システムは、携帯通信網のデータサービスを使用してＨＧＷの機器ＩＤ、設定パラメータ、宛先の携帯電話番号をＰＳＳに送信し、これは携帯電話を使用してＭＭＳメッセージを配信する処理に類似している。
【００４１】
ステップ４０３：ＰＳＳはＨＧＷの機器ＩＤおよび設定パラメータをユーザの携帯電話に送信する。ＰＳＳは設定パラメータをユーザの携帯電話に直接にプッシュすることが可能であり、または、ＰＳＳは、まずユーザの携帯電話にリンクを含む通知を送信し、そして、携帯電話は、リンクに従って、例えばハイパーテキスト伝送プロトコル（ＨＴＴＰ）のＧｅｔ操作を通して、ＰＳＳから設定情報を能動的に抽出する。設定パラメータは暗号化され、ユーザの携帯電話に送信される。
【００４２】
ステップ４０４：ユーザの携帯電話は、設定情報を取得した後、ＰＳＳにメッセージを送信し、このメッセージは、携帯電話が設定情報の受信に成功したことを示す。
【００４３】
ステップ４０５：ＰＳＳはＰＳ要求システムにメッセージを送信し、このメッセージは、設定情報は宛先への送信に成功したことを示す。
【００４４】
ステップ４０６：ＰＳ要求システムは、設定情報はユーザの携帯電話への送信に成功したことを示すためにオペレーションシステムにフィードバックを送信する。
【００４５】
アクセスサービスプロバイダのオペレーションシステムは携帯通信網の運営者のＰＳＳへの接続を直接にセットアップし、他の方法でユーザの携帯電話に設定情報を送信することが可能である。図５は、図３に表わされているＰＳについてのメッセージを送信するもう１つの処理を表わす。この処理は次のステップを含む。
【００４６】
ステップ５０１：アクセスサービスプロバイダのオペレーションシステムは、インターネット接続を通して携帯電話網のＰＳＳに直接にユーザのＨＧＷの機器ＩＤ、設定パラメータ、宛先の携帯電話番号を送信する。この処理は、コンピュータを通してＭＭＳサーバにユーザログインし、宛先の携帯電話に直接にＭＭＳメッセージを送信する処理に類似している。
【００４７】
ステップ５０２およびステップ５０３：これらのステップはそれぞれステップ４０３およびステップ４０４と同じである。
【００４８】
ステップ５０４：ＰＳＳは、携帯電話が設定情報を受信したと判断した後、アクセスサービスプロバイダのオペレーションシステムにメッセージを送信し、このメッセージは、設定情報は宛先への送信に成功したことを示す。
【００４９】
図４における処理は、１つの携帯電話からもう１つの携帯電話にＭＭＳメッセージを送信する処理に類似し、図５における処理は、ユーザがインターネットを通して宛先の携帯電話に直接にＭＭＳメッセージを送信する処理に類似している。この処理の詳細はこの技術分野の当業者に知られている。
【００５０】
図４および図５に表わされている例は、アクセスサービスプロバイダがユーザの携帯電話にユーザのＨＧＷの設定情報を送信するために技術的に実施可能であることを検証することを意図しているが、これらは実現方法における限定と解釈してはならない。
【００５１】
以下はＷＰＳ設定法を説明する。設定情報を受信した後、携帯電話は携帯電話におけるＷＰＳレジストラモジュールに通知する。
【００５２】
ＨＧＷが電源オンされ、動作可能にされた後、ＡＰは自動的にビーコンフレームを送信する。ＷｉＦｉ携帯電話におけるレジストラモジュールはＡＰを発見し、ＡＰを設定するか否かをユーザに質問する。ユーザは「はい」と答え、携帯電話はＡＰを設定する。設定処理においてＨＧＷの設定パラメータがＡＰに送信される。ＡＰはＨＧＷにおけるモジュールであるので、ＨＧＷは容易に設定パラメータを取得する。ＷＰＳ法における設定処理はここでは詳細には説明しない。本発明はＷＰＳのどのステップも変更しないが、ＷＰＳによって許容される操作に従ってレジストラからＡＰに送信される設定パラメータはＨＧＷの設定情報を含む。図６は、図３に表わされている携帯電話がＷＰＳ法を使用してどのようにＨＧＷに設定情報を送信するかを表わす。この処理は次のステップを含む。
【００５３】
ステップ６０１：携帯電話におけるＰＳについてのメッセージを受信および処理するモジュールは、ＰＳメッセージを受信し、そのメッセージから設定情報を抽出し、設定情報を復号化する。
【００５４】
ステップ６０２：ＰＳについてのメッセージを受信および処理するモジュールは、設定情報を設定情報記憶領域に記憶する。
【００５５】
ステップ６０３：ＰＳについてのメッセージを受信および処理するモジュールは、受信した設定情報をＷＰＳレジストラモジュールに通知し、次の情報、設定情報に対応する機器ＩＤおよび設定パラメータを記憶するためのアドレスをＷＰＳレジストラモジュールに示す。
【００５６】
ステップ６０４：ＨＧＷがユーザによって電源オンされた後、ＨＧＷにおけるＡＰモジュールはビーコンフレームを周期的に外部に送信する。ビーコンフレームはＡＰ／ＨＧＷの機器ＩＤを含み、ＡＰモジュールがＷＰＳ設定法をサポートするが、ＷＰＳ法を使用して何の設定も取得していないことを示す。
【００５７】
ステップ６０５：携帯電話はＷｉＦｉをサポートするので、携帯電話はＡＰのビーコンフレームを受信し、または、能動的な探索を通してＡＰの存在を発見することができる。携帯電話におけるＷＰＳレジストラがＷＰＳをサポートするＡＰを発見し、ＡＰが外部のＷＰＳレジストラにそれを設定することを許容することを発見したならば、ＷＰＳはＡＰを設定するか否かをユーザに質問する。ユーザが「はい」と答えたならば、ＷＰＳレジストラによって実行されるＡＰの設定が開始される。
【００５８】
ステップ６０６：ユーザは発見されたＡＰを設定することに同意しているので、ＷＰＳレジストラは機器ＩＤに従って設定情報記憶領域から該当する設定パラメータを読み出し、設定情報とともに設定パラメータをＡＰに送信する準備ができている。
【００５９】
ステップ６０７：携帯電話におけるＷＰＳレジストラは、ＷＰＳ法を使用してＨＧＷにおけるＡＰを設定し、設定情報とともにＨＧＷの設定パラメータを送信する。この処理は複数のメッセージを交換する処理であり、レジストラ（すなわち、携帯電話）においてＡＰ（すなわち、ＨＧＷ）の初期パスワードを入力することをユーザに要求する。ＷＰＳ仕様に従って、機器におけるラベルまたは使用説明マニュアルを読むことによってＡＰ（すなわち、ＨＧＷ）のパスワードを取得することができる。
【００６０】
ステップ６０８：ＡＰはレジストラから設定パラメータを受信する。設定パラメータが非ＷＬＡＮ設定パラメータを含むならば、ＡＰは非ＷＬＡＮ設定パラメータをＨＧＷ設定処理モジュールに転送する。ＡＰは同じ機器内にＨＧＷ設定処理モジュールとともに配置されているので、この処理は取り扱うことが容易である。この処理はここでは詳細には説明しない。
【００６１】
ＡＰと携帯電話の間の通信の詳細な処理については、ＩＥＥＥ  ８０２．１１プロトコルおよびＷｉＦｉアライアンスによって開発されたＷＰＳ仕様を参照されたい。
【００６２】
ＨＧＷの設定情報はＨＧＷの完全な設定パラメータを含み、または、ＨＧＷのＡＣＳのＵＲＬのみを含むことが可能である。携帯電話によって取得された設定情報がＨＧＷのＡＣＳのＵＲＬのみを含むならば、上記の処理はＡＣＳのＵＲＬをＨＧＷに入力する問題のみを解決する。後に、ＨＧＷはＤＳＬフォーラムによって開発されたＣＷＭＰプロトコルを通じてＡＣＳから設定パラメータを取得することが可能であり、これはさらなる説明はしない。
【００６３】
上記の実施形態は次の利点をもたらす。全ての設定パラメータは安全かつ簡単に機器に到達することができる。ＡＰおよびアプリケーション端末機器を設定するためのＷＰＳレジストラとして携帯電話を使用するとき、ユーザはいまだ操作を実行する必要があるが、この操作はユーザの特別な技術を必要とせず、この操作は自動的に促されたときに質問に答えることに等しいので簡単である。
【００６４】
＜実施形態３＞
以下は、携帯電話の運営者に特別なサポートを提供することを必要としない方法を説明する。上記の第２実施形態において、携帯電話の運営者がＰＳをサポートするとき、携帯電話はＨＧＷを設定する。携帯電話のみを通してＨＧＷを管理するＡＣＳのＵＲＬをＨＧＷに送信する目的のために、携帯電話は上記の方法と異なる処理を通してＡＣＳのＵＲＬを取得することが可能である。
【００６５】
ＵＲＬは一般に長くない文字列であり、ＳＭＳメッセージはＵＲＬを表現するために十分な７０までの漢字（すなわち、１４０の英字）をサポートするので、ＨＧＷのＡＣＳのＵＲＬはＳＭＳメッセージを通してユーザのＷｉＦｉ携帯電話に送信することができ、そして、ＷｉＦｉ携帯電話はＷＰＳモードにおいてＨＧＷにおけるＡＰを設定するときＨＧＷに設定情報とともにＵＲＬを送信する。
【００６６】
図７は、本発明の一実施形態において、ＳＭＳを通して携帯電話にどのようにＨＧＷのＡＣＳのＵＲＬを送信するかを表わす。この処理は次のステップを含む。
【００６７】
ステップ７０１：レジストラから設定パラメータを生成した後、アクセスサービスプロバイダのオペレーションシステムはＨＧＷの機器ＩＤ、ＡＣＳのＵＲＬ、ユーザの携帯電話番号をＰＳ ＳＭＳメッセージ送信システムに自動的に送信する。
【００６８】
ステップ７０２：ＰＳ ＳＭＳメッセージ送信システムはＨＧＷの機器ＩＤおよびＡＣＳのＵＲＬを特別なフォーマットでＳＭＳメッセージに編成し、そのメッセージをユーザの携帯電話に送信する。ＳＭＳメッセージのフレームヘッダはメッセージの目的を示すビットフラグを含むことが可能であり、または、特別なプレフィックスＩＤがＳＭＳメッセージのテキスト情報フィールドに直接に追加される。識別情報の形式はここでは詳細には説明しない。ＰＳ ＳＭＳメッセージ送信システムはＳＭＳ成功報告サービスを要求することが可能である。このようにして、ＳＭＳメッセージがユーザの携帯電話への到達に成功すると、ＳＭＳシステムはメッセージをＳＭＳ送信者（すなわち、ＰＳ ＳＭＳメッセージ送信システム）に返信し、これは送信されたＳＭＳメッセージが宛先への到達に成功したことを示す。
【００６９】
ＳＭＳメッセージは携帯網のＳＭＳシステムによって着信側（すなわち、ユーザの携帯電話）に転送される。先行技術におけるＳＭＳシステムは多様であるので、ＳＭＳシステムの構造はここでは詳細には説明しない。
【００７０】
ステップ７０３：ＰＳ ＳＭＳメッセージ送信システムがＳＭＳ成功報告サービスを要求したならば、ＳＭＳシステムはＳＭＳ受信者（すなわち、ユーザの携帯電話）にＳＭＳメッセージを受信した後にアクノリッジ（ＡＣＫ）を返信するように要求する。このようにして、ＳＭＳシステムは特別なメッセージをＰＳ ＳＭＳメッセージ送信システムに送信することができ、これは送信されたＳＭＳメッセージが宛先への到達に成功したことを示す。
【００７１】
ステップ７０４：ＰＳ ＳＭＳメッセージ送信システムはＳＭＳメッセージの宛先への到達を示すメッセージを受信し、情報は宛先の携帯電話への送信に成功したことを示すためにオペレーションシステムに通知を送信する。
【００７２】
ステップ７０３およびステップ７０４なしでさえ、ユーザがビジネスセンターにおいてサービスに加入したとき、サービスプロバイダはユーザの携帯電話にそのようなメッセージを送信することが可能であり、ユーザはビジネスセンターを離れる前にメッセージの受信を確認する。
【００７３】
携帯電話がＳＭＳメッセージを受信した後、携帯電話のアプリケーションはＳＭＳメッセージの内容を解析し、そのメッセージはプロビジョニングＳＭＳサービスであることを認識する。従って、アプリケーションは、そのメッセージから機器ＩＤおよびＵＲＬを抽出し、それらをＷＰＳレジストラモジュールに送信する。その後、レジストラモジュールがＡＰを設定するとき、機器ＩＤがＵＲＬを伴うならば、レジストラモジュールは取得されたＵＲＬをＷＬＡＮ設定パラメータに追加し、ＡＰにパラメータを送信する。ＡＰが配置されている機器はＵＲＬを使用する。
【００７４】
図８、本発明の一実施形態において、携帯電話がどのようにＳＭＳメッセージを処理し、どのようにＡＰを設定するかを表わす。この処理は次のステップを含む。
【００７５】
ステップ８０１：携帯電話におけるＰＳについてのメッセージを処理するＰＳ ＳＭＳアプリケーションモジュールは、プロビジョニングをサポートする携帯電話にロードされる。携帯電話は、モジュールをロードし、ＳＭＳメッセージを受信するためにこのモジュールを使用して通常のＳＭＳアプリケーションモジュールを置換する必要がある。その代わりに、通常のＳＭＳアプリケーションモジュールはプロビジョニングＳＭＳメッセージを識別することが可能であるようにアップグレードされる。その代りに、通常のＳＭＳアプリケーションモジュールは携帯電話において特別なＳＭＳアプリケーションを追加することをより容易にするオープンインタフェースを有することが可能である。通常のＳＭＳアプリケーションモジュールはＳＭＳメッセージを受信し、ＳＭＳメッセージはオープンインタフェースを通して追加されたアプリケーションモジュールに転送される。携帯電話においてプロビジョニングＳＭＳメッセージをどのように処理するかを説明するために、ここで一例を提供する。
【００７６】
ステップ８０２：ＳＭＳメッセージを解析した後、ＳＭＳメッセージがプロビジョニングＳＭＳメッセージでないならば、ＰＳ ＳＭＳアプリケーションモジュールはＳＭＳメッセージを通常のＳＭＳアプリケーションモジュールに転送する。
【００７７】
ステップ８０３：ＳＭＳメッセージを解析した後、ＳＭＳメッセージがプロビジョニングＳＭＳメッセージであるならば、ＰＳ ＳＭＳアプリケーションモジュールはそのメッセージから機器ＩＤおよびＵＲＬを抽出し、それらをＷＰＳレジストラモジュールに転送する。ＷＰＳレジストラモジュールは機器ＩＤおよびＵＲＬを将来の使用のために記憶する。
【００７８】
ステップ８０４：ＨＧＷがユーザによって電源オンされた後、ＨＧＷにおけるＡＰモジュールはビーコンフレームを周期的に外部に送信する。ビーコンフレームはＡＰ／ＨＧＷの機器ＩＤを含み、ＡＰモジュールがＷＰＳ設定法をサポートするが、ＷＰＳ法を使用して何の設定も取得していないことを示す。
【００７９】
ステップ８０５：携帯電話はＷｉＦｉをサポートするので、携帯電話はＡＰのビーコンフレームを受信し、または、能動的な探索を通してＡＰの存在を発見することができる。携帯電話におけるＷＰＳレジストラが、ＡＰがＷＰＳをサポートし、ＷＰＳモードに設定されていないことを発見したならば、ＷＰＳレジストラはＡＰを設定するか否かをユーザに質問する。ユーザが「はい」と答えたならば、ＷＰＳレジストラによって実行されるＡＰの設定が開始される。
【００８０】
ステップ８０６：携帯電話におけるＷＰＳレジストラはＷＰＳ法を使用してＨＧＷにおけるＡＰを設定し、設定情報とともにＨＧＷの機器ＩＤに対応する取得されたＵＲＬを送信し、ここで、ＵＲＬはＨＧＷのＡＣＳのＵＲＬである。この処理は複数のメッセージを交換する処理であり、レジストラ（すなわち、携帯電話）においてＡＰ（すなわち、ＨＧＷ）の初期パスワードを入力することをユーザに要求する。ＷＰＳ仕様に従って、機器におけるラベルまたは取扱説明マニュアルを読むことによってＡＰ（すなわち、ＨＧＷ）のパスワードを取得することができる。
【００８１】
ステップ８０７：ＡＰはレジストラから設定情報を受信する。設定情報が非ＷＬＡＮ設定情報を含むならば、ＡＰは非ＷＬＡＮ設定情報をＨＧＷ設定処理モジュールに転送する。この方法において、非ＷＬＡＮ設定情報はＵＲＬのみである。
【００８２】
上記の処理を通して、ＨＧＷはＡＣＳのＵＲＬを取得し、そして、ＣＷＭＰプロトコルを通じてＡＣＳから完全な設定パラメータを取得することができる。従って、設定は完了する。
【００８３】
上記の方法は、ホームネットワーク内の他のＷｉＦｉが利用可能なオペレーションアプリケーション端末機器、例えば、ＩＰＴＶ ＳＴＢの設定にも適用可能である。また、ＩＰＴＶサービスプロバイダはユーザの携帯電話に、ＩＰＴＶ ＳＴＢのサービス設定パラメータ、または、ＳＴＢに対応するＡＣＳのＵＲＬを送信する必要がある。
【００８４】
ユーザは、ＷＰＳモードでＩＰＴＶ ＳＴＢのためのＷＬＡＮ設定を実行する一方で、ＩＰＴＶサービスデータをＳＴＢに設定する。
【００８５】
上記の実施形態は次の利点をもたらす。ＡＣＳのＵＲＬは、ユーザ、運営者／サービスプロバイダ、またはベンダによって機器に入力されることなく安全かつ簡単に機器に到達する。ＡＰおよびアプリケーション端末機器を設定するためのＷＰＳレジストラとして携帯電話を使用するとき、ユーザはいまだ操作を実行する必要があるが、この操作はユーザの特別な技術を必要とせず、この操作は自動的に促されたときに質問に答えることに等しいので簡単である。
【００８６】
上記の説明は本発明の実施形態の目的、技術的解決策、利点である。本発明はいくつかの例示の実施形態を通して説明されたが、本発明はそのような実施形態に限定されない。この技術分野の当業者は本発明の思想および範囲から逸脱することなく本発明に変形、置換、改良を行うことができることが明らかである。本発明は、添付の請求項またはそれらの均等物によって定義される保護範囲内にあるならば変形、置換、改良をカバーすることを意図する。
【符号の説明】
【００８７】
ＡＰ  アクセスポイント
ＨＧＷ  ホームゲートウェイ
ＰＳＳ  プロビジョニングサービスサーバ
ＷＰＳ  ワイヤレスフィデリティ保護セットアップ
【図１Ａ】
2012511268.tif 000003
【図１Ｂ】
2012511268.tif 000004
【図２】
2012511268.tif 000005
【図３】
2012511268.tif 000006
【図４】
2012511268.tif 000007
【図５】
2012511268.tif 000008
【図６】
2012511268.tif 000009
【図７】
2012511268.tif 000010
【図８】
2012511268.tif 000011
【手続補正書】
【提出日】平成23年6月14日(2011.6.14)
【手続補正２】
【補正対象書類名】明細書
【補正対象項目名】０００１
【補正方法】変更
【補正の内容】
【０００１】
本発明は、パラメータ設定技術、特に、端末機器、端末機器を設定する方法および装置に関する。
【手続補正３】
【補正対象書類名】明細書
【補正対象項目名】０００３
【補正方法】変更
【補正の内容】
【０００３】
先行技術は少なくとも次の問題を有する。ＡＣＳのＵＲＬがＤＨＣＰを通して自動的に取得されるとき、サービスプロバイダまたはユーザのいずれも何のデータもＵＥに入力する必要がないが、ＡＣＳのＵＲＬを取得する処理は、ＤＨＣＰプロトコルそれ自身のために安全でない。従って、サービスプロバイダは、ＵＥがＤＨＣＰを通して自動的にＡＣＳのＵＲＬを取得することを期待していない。ＵＥが工場設定を通してＵＲＬを取得するならば、ＵＥはカスタマイズされる必要があり、小売のために適していない。ユーザがＡＣＳのＵＲＬを手動で入力するならば、入力データの量は少ないが、その入力はユーザにとって技術的に難しい。サービスプロバイダがＵＲＬを入力するならば、サービスプロバイダは追加コストに耐える必要があり、効率が低い。従って、ＨＧＷおよびＩＰＴＶ ＳＴＢのような端末機器を設定するためのプロビジョニングは安全でなく、複雑である。
【手続補正４】
【補正対象書類名】明細書
【補正対象項目名】０００７
【補正方法】変更
【補正の内容】
【０００７】
本発明の一実施形態において端末機器が提供される。この端末機器は、ＷｉＦｉ技術を使用してセットアップされた無線接続を使用して端末機器についての設定情報を取得するように構成された無線接続取得ユニットと、前記端末機器についての設定情報を使用して前記端末機器を設定するように構成された端末機器設定ユニットと、を含む。
【手続補正５】
【補正対象書類名】明細書
【補正対象項目名】０００８
【補正方法】変更
【補正の内容】
【０００８】
上記の技術的解決策は少なくとも次の利点をもたらす。端末機器についての設定情報を含むメッセージを受信し、そのメッセージに従って端末機器に設定情報を送信するので、端末機器を設定するためのプロビジョニングに伴う危険性および複雑さの問題は解決され、端末機器についての設定情報は安全かつ簡単に供給される。
【手続補正６】
【補正対象書類名】明細書
【補正対象項目名】００１０
【補正方法】変更
【補正の内容】
【００１０】
【図１Ａ】本発明の一実施形態による、端末機器を設定する装置の構成図である。
【図１Ｂ】本発明の一実施形態による、端末機器の構成図である。
【図２】本発明の一実施形態による、端末機器を設定する方法のフローチャートである。
【図３】本発明の一実施形態による、携帯電話を通してＨＧＷを設定する処理を表わす。
【図４】プロビジョニングサービス（Provisioning Service（ＰＳ））についてのメッセージを送信する処理を表わす。
【図５】ＰＳについてのメッセージを送信するもう１つの処理を表わす。
【図６】図３に表わされている携帯電話がＷｉＦｉ保護セットアップ（WiFi Protected Setup（ＷＰＳ））を使用してどのようにＨＧＷに設定情報を送信するかを表わす。
【図７】本発明の一実施形態により、ショートメッセージサービス（ＳＭＳ）を通して携帯電話にどのようにＨＧＷのＡＣＳのＵＲＬを送信するかを表わす。
【図８】本発明の一実施形態により、携帯電話がどのようにＳＭＳメッセージを処理し、どのようにアクセスポイント（ＡＰ）を設定するかを表わす。
【手続補正７】
【補正対象書類名】明細書
【補正対象項目名】００２３
【補正方法】変更
【補正の内容】
【００２３】
この実施形態において、端末機器についての設定情報を含むメッセージを受信し、そのメッセージに従って端末機器に設定情報を送信するので、端末機器を設定するためのプロビジョニングに伴う危険性および複雑さの問題は解決され、端末機器についての設定情報は安全かつ簡単に供給される。
【手続補正８】
【補正対象書類名】明細書
【補正対象項目名】００３８
【補正方法】変更
【補正の内容】
【００３８】
図４は、ＰＳについてのメッセージを送信する処理を表わす。図４は、アクセスサービスプロバイダがユーザの携帯電話にＨＧＷ設定情報をどのように送信するかを表わす。この処理は次のステップを含む。
【手続補正９】
【補正対象書類名】明細書
【補正対象項目名】００４５
【補正方法】変更
【補正の内容】
【００４５】
アクセスサービスプロバイダのオペレーションシステムは携帯通信網の運営者のＰＳＳへの接続を直接にセットアップし、他の方法でユーザの携帯電話に設定情報を送信することが可能である。図５は、ＰＳについてのメッセージを送信するもう１つの処理を表わす。この処理は次のステップを含む。
【手続補正１０】
【補正対象書類名】明細書
【補正対象項目名】００５６
【補正方法】変更
【補正の内容】
【００５６】
ステップ６０４：ＨＧＷがユーザによって電源オンされた後、ＨＧＷにおけるＡＰモジュールはビーコンフレームを周期的に外部に送信する。ビーコンフレームはＨＧＷの機器ＩＤを含み、ＡＰモジュールがＷＰＳ設定法をサポートするが、ＷＰＳ法を使用して何の設定も取得していないことを示す。
【手続補正１１】
【補正対象書類名】明細書
【補正対象項目名】００８６
【補正方法】変更
【補正の内容】
【００８６】
上記の説明は本発明の実施形態の目的、技術的解決策、利点である。本発明はいくつかの例示の実施形態を通して説明されたが、本発明はそのような実施形態に限定されない。この技術分野の当業者は本発明の範囲から逸脱することなく本発明に変形、置換、改良を行うことができることが明らかである。本発明は、添付の請求項またはそれらの均等物によって定義される保護範囲内にあるならば変形、置換、改良をカバーすることを意図する。
【手続補正１２】
【補正対象書類名】特許請求の範囲
【補正対象項目名】全文
【補正方法】変更
【補正の内容】
【特許請求の範囲】
【請求項１】
サービスプロバイダ機器によって送信された、端末機器についての設定情報を含むメッセージを受信するステップと、
ワイヤレスフィデリティ（ＷｉＦｉ）技術を使用して前記端末機器への無線接続をセットアップするステップと、
前記無線接続を通して前記端末機器についての設定情報を前記端末機器に送信するステップと、
を有する端末機器を設定する方法。
【請求項２】
前記サービスプロバイダ機器によって送信されるメッセージはマルチメディアメッセージサービス（ＭＭＳ）またはショートメッセージサービス（ＳＭＳ）である請求項１に記載の方法。
【請求項３】
前記ＭＭＳメッセージまたはＳＭＳメッセージが前記端末機器についての設定情報を含むことを識別するために、前記ＭＭＳメッセージまたはＳＭＳメッセージ内のフレームヘッダのフラグビットが解析され、または、前記ＭＭＳメッセージまたはＳＭＳメッセージ内のテキスト情報フィールドのプレフィックス識別子（ＩＤ）が解析される請求項２に記載の方法。
【請求項４】
前記端末機器についての設定情報は、前記端末機器の機器識別子（ＩＤ）を含み、かつ、前記端末機器の設定パラメータまたは自動設定サーバ（ＡＣＳ）のユニフォームリソースロケータ（ＵＲＬ）を含み、
前記端末機器が前記ＡＣＳのＵＲＬを取得したならば、前記ＡＣＳのＵＲＬに従って顧客宅内装置広域ネットワーク管理プロトコル（ＣＷＭＰ）を通じて前記ＡＣＳから前記設定パラメータが取得される請求項１から３のいずれか一項に記載の方法。
【請求項５】
前記端末機器についての設定情報を送信する方法はＷｉＦｉセキュリティ設定法を含む請求項１から４のいずれか一項に記載の方法。
【請求項６】
前記設定情報を送信するＷｉＦｉセキュリティ設定法はＷｉＦｉ保護セットアップ（ＷＰＳ）レジストラを利用する請求項５に記載の方法。
【請求項７】
サービスプロバイダ機器によって送信された、端末機器についての設定情報を含むメッセージを受信するように構成されたメッセージ受信ユニットと、
ワイヤレスフィデリティ（ＷｉＦｉ）技術を使用して前記端末機器への無線接続をセットアップするように構成された無線接続ユニットと、
前記無線接続を通して前記端末機器についての設定情報を前記端末機器に送信するように構成された設定情報送信ユニットと、
を備える端末機器を設定する装置。
【請求項８】
前記メッセージ受信ユニットは、
前記サービスプロバイダ機器からマルチメディアメッセージサービス（ＭＭＳ）メッセージを受信するように構成されたＭＭＳモジュール、または、
前記サービスプロバイダ機器からショートメッセージサービス（ＳＭＳ）メッセージを受信するように構成されたＳＭＳモジュールを備える請求項７に記載の装置。
【請求項９】
前記メッセージ受信ユニットは、
前記ＭＭＳメッセージまたはＳＭＳメッセージが前記端末機器についての設定情報を含むことを識別するために、前記ＭＭＳメッセージまたはＳＭＳメッセージ内のフレームヘッダのフラグビット、または、前記ＭＭＳメッセージまたはＳＭＳメッセージ内のテキスト情報フィールドのプレフィックス識別子（ＩＤ）を解析するように構成されたメッセージ解析モジュールと、
前記メッセージ解析モジュールによって取得された端末機器についての設定情報を抽出するように構成されたメッセージ抽出モジュールと、
を備える請求項８に記載の装置。
【請求項１０】
前記メッセージ解析モジュールは、さらに、前記端末機器についての設定情報を解析して前記端末機器の機器ＩＤ、および、前記端末機器の設定パラメータまたは自動設定サーバ（ＡＣＳ）のユニフォームリソースロケータ（ＵＲＬ）を取得するように構成された請求項９に記載の装置。
【請求項１１】
前記設定情報送信ユニットは、ＷｉＦｉセキュリティ設定法を使用して前記端末機器についての設定情報を前記端末機器に送信するように構成されたＷｉＦｉセキュリティ設定モジュールを備える請求項７から１０のいずれか一項に記載の装置。
【請求項１２】
前記ＷｉＦｉセキュリティ設定モジュールは、ＷｉＦｉセキュリティ設定レジストラである請求項１１に記載の装置。
【請求項１３】
ワイヤレスフィデリティ（ＷｉＦｉ）技術を使用してセットアップされた無線接続を使用して端末機器についての設定情報を取得するように構成された無線接続取得ユニットと、
前記端末機器についての設定情報を使用して前記端末機器を設定するように構成された端末機器設定ユニットと、
を備える端末機器。
【請求項１４】
前記無線接続取得ユニットは、
前記端末機器についての設定情報における前記端末機器の設定パラメータまたは自動設定サーバ（ＡＣＳ）のユニフォームリソースロケータ（ＵＲＬ）を取得するように構成された第１取得サブユニットと、
前記端末機器が前記ＡＣＳのＵＲＬを取得したならば、前記ＡＣＳのＵＲＬに従って顧客宅内装置広域ネットワーク管理プロトコル（ＣＷＭＰ）を通じて前記ＡＣＳから前記設定パラメータを取得するように構成された第２取得サブユニットと、
を備える請求項１３に記載の端末機器。
【国際調査報告】
2012511268.tif 000012
2012511268.tif 000013
2012511268.tif 000014
2012511268.tif 000015